(57)【要約】    【課題】この発明は、折り畳みおよび設営操作が極めて簡単で、しかも簡単かつ正確に元のドーム形状に復元することができるスタジオボックスを提供する。    【解決手段】復元及び折り畳み手段３０を、中心部材２１を中心に放射状と互いに略平行な状態とになる複数本の主骨２，３，４，５により、反射シート部材１０，１１，１２，１３をドーム設営位置と、折り畳み位置とに変形させることができるスタジオボックス。    【選択図】  図１
2006173894.tif 000002
【特許請求の範囲】
【請求項１】
復元及び折り畳み手段を介し、反射シート部材をドーム設営位置と、折り畳み位置とに変形させることができるスタジオボックスにおいて、
前記復元及び折り畳み手段は、
中心部材を中心に放射状となるように回動自在に支承され、かつ前記反射シート部材が支承された複数本の主骨と、
前記中心部材を中心に前記主骨を放射状に位置決めすることにより前記反射シート部材を前記各主骨間で張設するドーム設営位置と前記各主骨を互いに略平行に位置決めすることで前記反射シート部材の折り畳み位置とに変形させる主骨移動手段と
を具えたことを特徴とするスタジオボックス。
【請求項２】
前記中心部材の中心には嵌挿孔が形成されており、また前記主骨移動手段は、略円筒形に形成され前記中心部材の嵌挿孔に嵌挿する突起が形成された移動駒と、一端が該移動駒の周面に回動自在に支承され、他端が対応する前記主骨に回動自在に支承された複数本の支持骨とからなるリンク構造であることを特徴とする請求項１に記載のスタジオボックス。
【請求項３】
前記突起の先端には該突起を引く引き紐が係合し、該引き紐の後端には該引き紐が前記中心部材の嵌挿孔から脱落することを防止するストッパーが固着されていることを特徴とする請求項２に記載のスタジオボックス。
【請求項４】
前記反射シート部材には、光を反射させるバックシートの一端を嵌挿させるスリットと前記バックシートの一端を貼着する貼着手段が形成されていることを特徴とする請求項１に記載のスタジオボックス。
【発明の詳細な説明】
【技術分野】
【０００１】
この発明は、被写体に対して良好なライティング操作が行なえるスタジオボックスの改良に関し、特に持ち運びが容易で、しかも設営及び撤去が簡単なドーム形状型のスタジオボックスに関する。
【背景技術】
【０００２】
従来から、デジタルカメラ等でネットオークションに出展する物品等を撮影するため、小型でしかも持ち運びが容易なドーム形状型のスタジオボックスが各種提案されている。
【０００３】
中でも、バネ性を有する針金を捻ったり折り曲げるなどして折り畳んで小型に収納し、また設営するときは、針金のバネ性を利用して元の形状、即ちドーム形状の小型のスタジオボックスに復元させるようにしたものがある。
【発明の開示】
【発明が解決しようとする課題】
【０００４】
ところが、上述した従来の針金のバネ性を利用し、折り畳んで収納したり、また元のドーム形状に復元させる従来のタイプのスタジオボックスは、針金のバネ性を利用することから、操作が不慣れな場合は小型に折り畳んで収納することが難しく、また元のドーム形状のスタジオボックスに復元させる際も、あらぬ方向にバネの力が作用してうまく元のドーム形状に復元させることができない難点もあった。
【０００５】
この発明は、上述した事情に鑑み、折り畳みおよび設営操作が極めて簡単で、しかも簡単かつ正確に元のドーム形状に復元することができるスタジオボックスを提供することを目的とする。
【課題を解決するための手段】
【０００６】
上述した課題を解決するため、この発明では、復元及び折り畳み手段を介し、反射シート部材をドーム設営位置と、折り畳み位置とに変形させることができるスタジオボックスにおいて、前記復元及び折り畳み手段は、中心部材を中心に放射状となるように回動自在に支承され、かつ前記反射シート部材が支承された複数本の主骨と、前記中心部材を中心に前記主骨を放射状に位置決めすることにより前記反射シート部材を前記各主骨間で張設するドーム設営位置と前記各主骨を互いに略平行に位置決めすることで前記反射シート部材の折り畳み位置とに変形させる主骨移動手段とを具えている。
【発明の効果】
【０００７】
上述したスタジオボックスによると、主骨移動手段を操作し、各主骨を放射状に位置決めするだけで、反射シート部材を前記各主骨間で張設してドーム形状に復元することが出来るとともに、各主骨を互いに略平行に位置決めするだけで反射シートを折り畳むことが出来、このため傘をさすのと同じような操作で初めて操作する人でも簡単かつ正確にドーム形状のスタジオボックスの設営と折り畳み操作とを行なうことが出来る。  
【発明を実施するための最良の形態】
【０００８】
以下、この発明に係るスタジオボックスの位置実施例を詳述する。
【０００９】
図１はこの発明に係るドーム形状をしたスタジオボックス１の概念斜視図である。
【００１０】
このスタジオボックス１は、４本の主骨２，３，４，５と、この４本の主骨２，３，４，５間に張設された略三角形状をした４枚の反射シート部材１０，１１，１２，１３とからなる４角ドーム形状をしている。
【００１１】
この４枚の反射シート部材１０，１１，１２，１３のうち、正面に位置する反射シート部材１０は他の反射シート部材１１，１２，１３と比較してその丈が短く設定され、下方に略矩形状の撮影窓口１４が形成されている。
【００１２】
なお、この撮影窓口１４の下方を構成する一対の主骨２，３の各下端２ａ，３ａ間には、当該主骨２，３が図示のドーム形状に設営された際に互いに離間しないよう、反射シート部材と同材質の紐１５で連結されている。
【００１３】
また、正面の反射シート部材１０と対向する背面の反射シート部材１３には、後述するバックシートを嵌挿するスリット１３ａが形成され、その下端には前記バックシートの一端を前記反射シート１３の表面に貼り付ける貼着手段１６であるマジックテープ（登録商標）が取り付けられている。
【００１４】
なお、前記４本の主骨２，３，４，５の各最下端にはドーム形状となったスタジオボックス１の座りを安定させるため球形の足１７が嵌着されている。
【００１５】
次に、上述した各反射シート部材１０，１１，１２，１３を図１に示すドーム設営位置と、後述する折り畳み位置とに変位させる復元及び折り畳み手段を説明する。
【００１６】
図２は、図１から反射シート部材１０，１１，１２，１３等を取り去った状態を示す概念斜視図で、特に復元及び折り畳み手段２０を詳細に示したものである。  
この復元及び折り畳み手段２０は、中心部材２１を中心に放射状に回動自在に支承されかつ前記各反射シート部材１０，１１，１２，１３をその間に配設した４本の主骨２，３，４，５と、前記中心部材２１を中心に前記各主骨２，３，４，５を放射状に位置決めして図１に示すように前記各反射シート部材１０，１１，１２，１３を各主骨２，３，４，５間で張設して元のドーム形状に復元するドーム設営位置と、図３に示すように前記各主骨２，３，４，５を互いに略平行に位置決めすることで各反射シート部材１０，１１，１２，１３を折り畳む折り畳み位置とに変位させる主骨移動手段３０とを具えている。
【００１７】
このうち、図２に示すように、中心部材２１は、略円筒形状に形成され、その中央には後述する主骨移動手段３０の突起が嵌挿する嵌装孔２１ａが形成されている。またこの周面には等間隔で前記各主骨２，３，４，５が軸部２２を介して回動自在に支承されている。
【００１８】
一方、上述した主骨移動手段３０は図３で示すように、略円筒形に形成された移動駒３１と、この移動駒３１の上面に突設された突起３２とから構成されている。
【００１９】
上述した移動駒３１の周面には図２で示すように、等間隔で４本の支持骨４０，４１，４２，４３が軸部４４を介して回動自在に支承され、この各支持骨４０，４１，４２，４３の先端は対応する前記各主骨２，３，４，５に軸部４５を介して回動自在に支承されている。
【００２０】
即ち、上述した各支持骨４０，４１，４２，４３と対応する前記各主骨２，３，４，５はリンク構造となっている。
【００２１】
なお、上述した突起３２の先端には孔３２ａが穿設され、この孔３２ａ内には引き紐５０が嵌挿し、この引き紐５０の先端には中心部材２１の嵌挿孔２１ａ内から当該引き紐５０が脱落しないよう球形のストッパー５１が固着されている。
【００２２】
次に上述したスタジオボックス１の作用を説明する。
【００２３】
図４に示すスタジオボックス１の畳んだ状態から元のドーム形状に復元するには、まずオペレータはストッパー５１を矢印Ａ方向に引く。
【００２４】
すると、図３に示す主骨移動手段３０の移動駒３１が紐５０を介して矢印Ｂのように上動する。その際、図２に示すように移動駒３１の突起３２が中心部材２１の嵌挿孔２１ａ内に嵌挿する。
【００２５】
このように移動駒３１の突起３２が中心部材２１の嵌挿孔２１ａ内に嵌挿すると、各支持骨４０，４１，４２，４３と対応する前記各主骨２，３，４，５との間のリンクモーションにより前記各主骨２，３，４，５は放射状に位置決めされ、その結果、前記各主骨２，３，４，５間に配設された前記各反射シート部材１０，１１，１２，１３が図１のように張設されてドーム形状に復元される。
【００２６】
また、図４に示す折り畳み位置へ復帰させるには、オペレータは図２に示す突起３２を矢印Ｃで示すように、下側へ押し込めばよく、この場合も各支持骨４０，４１，４２，４３と対応する前記各主骨２，３，４，５との間のリンクモーションにより、図３に示すように、前記各主骨２，３，４，５は互いに略平行に位置に位置決めされ、その結果、図４に示すようにスタジオボックス１は折り畳まれることとなる。
【００２７】
なお、実際の使用に当たっては図５で示すように、反射機能を有するバックシート６０の一端６０ａをスリット１３ａをスリットを介して引き出し、このバックシート６０の一端６０ａを貼着手段１６である反射シート部材１３の背面に配設されたマジックテープ（登録商標）に貼着する。
【００２８】
このようなバックシート６０の貼着構造だと、バックシート６０の設営及びその撤去が極めて簡単となることは言うまでもない。
【００２９】
その後、バックシート６０の表面に被写体７１を配置し、デジタルカメラ等の撮影装置７２を使用してストロボ等の発光装置を発光させると、スタジオボックス１内で反射した光が被写体の背面にまで十分に回りこみ、被写体に対して陰のない良好なライティング操作が行なえることとなる。  
なお、上記実施例では主骨を４本持った４本ドーム形状のスタジオボックス１について詳述したが、この発明は上記実施例に限定されることなく、勿論４本以上の主骨を持ったドーム型スタジオボックスに適用しても良い。
【００３０】
また、上記実施例では、主骨２，３間に丈の短い反射シート部材１０を張設し、これにより開口面積が一定の撮影窓口１４を形成するようにしたが、この発明は上記実施例に限定されることなく、例えば主骨２，３と反射シート部材１０との間にファスナー等の拡開部材を配設し、このファスナーを操作して反射シート１０を上方に捲り上げ、これにより撮影窓口１４の開口面積を拡大させて、より高い位置から被写体の撮影作業を行えるようにしても良い。
【００３１】
また上記実施例では、４本の主骨２，３，４，５の各最下端に球形の足１７を嵌着させ、これによりドーム形状となったスタジオボックス１の座りを安定させるようにしたが、そのため主骨３，４の最下端間、主骨４，５の最下端間、および主骨５，２の最下端間にそれぞれ隙間が出来、そこから無用な光が内部に進入する虞があるが、それを防止するため、反射シート部材１１，１２，１３のそれぞれの下端に上述した隙間を覆う、例えばフリル状の反射あるいは遮光部材を連設するようにしても良い。
【産業上の利用可能性】
【００３２】
この発明は、折り畳みおよび設営操作が極めて簡単で、しかも簡単かつ正確に元のドーム形状に復元することができるスタジオボックスに適している。    
【図面の簡単な説明】
【００３３】
【図１】図１はこの発明に係るスタジオボックスの概念斜視図。
【図２】図２は主骨移動手段の概念斜視図。
【図３】図３は主骨移動手段の作用を示す概念斜視図。
【図４】図４はこの発明に係るスタジオボックスを畳んだ状態を示す概念斜視図。
【図５】図５はこの発明に係るスタジオボックスの使用状態を示す概念斜視図。
【符号の説明】
【００３４】
１…スタジオボックス
２，３，４，５…主骨
１０，１１，１２，１３…反射シート部材
１３ａ…スリット
１６…貼着手段
２０…復元及び折り畳み手段
２１…中心部材
２１ａ…嵌挿孔
３０…主骨移動手段
３１…移動駒
３２…突起
４０，４１，４２，４３…支持骨
５０…引き紐
５１…ストッパー
６０…バックシート
【図１】
2006173894.tif 000003
【図２】
2006173894.tif 000004
【図３】
2006173894.tif 000005
【図４】
2006173894.tif 000006
【図５】
2006173894.tif 000007